(57)【要約】【課題】加入者線のサージ誘導により生起するデジタル回線終端装置のハングアップ自動復旧手段を設ける。【解決手段】デジタル回線終端装置１は、ＤＳＵ部２と、加入者線の線路６、７のサージ誘導に応答し加入者線に対する閉ループを開放する過電流保護回路３−１を備え、且つデジタル回線終端装置の動作電圧を出力する電源部３と、加入者線の線路間に接続され、加入者線に対する閉ループが開放されたときに加入者線の給電電圧が所定電圧まで上昇したとき動作するハングアップ検出部４、ハングアップ検出部がハングアップを検出したときＤＳＵ部および前記電源部に接続されている加入者線を切り離す回線遮断リレー５とを有する。【選択図】　　　図１
2004088486.tif 000002
【特許請求の範囲】
【請求項１】
デジタル回線の加入者線に接続され、電話局から加入者線を介して供給される直流電圧を受けて動作するデジタル加入者系の回線終端装置において、前記加入者線のサージ誘導により生起する前記回線終端装置のハングアップを自動復旧するハングアップ復旧手段を有することを特徴とするデジタル回線終端装置のハングアップ復旧方式。
【請求項２】
デジタル回線の加入者線に接続され、電話局から加入者線を介して供給される直流電圧を受けて動作するデジタル加入者系の回線終端装置において、前記加入者線のサージ誘導に応動し前記加入者線に対する閉ループを開放する過電流検出手段と、前記過電流検出手段が前記加入者線に対する閉ループを開放したとき前記加入者線の給電電圧の変化を検出する給電電圧検出手段と、前記給電電圧検出手段の指示を受け前記回線終端装置から前記加入者線を切り離す加入者線遮断手段とを有することを特徴とするデジタル回線終端装置のハングアップ復旧方式。
【請求項３】
デジタル回線の加入者線に接続され、電話局から加入者線を介して供給される直流電圧を受けて動作するデジタル加入者系の回線終端装置において、前記回線終端装置は、ＤＳＵ部と、前記加入者線間に接続され、前記加入者線のサージ誘導に応動し前記加入者線に対する閉ループを開放する過電流検出手段を備え、且つ前記回線終端装置の動作電圧を出力する電源部と、前記加入者線間に接続され、前記加入者線に対する閉ループが開放されたときに前記加入者線の給電電圧が所定電圧まで上昇したとき動作するハングアップ検出部と、前記ハングアップ検出部が前記ハングアップを検出したとき前記ＤＳＵ部および前記電源部に接続されている前記加入者線を切り離す加入者線遮断部とを有することを特徴とするデジタル回線終端装置のハングアップ復旧方式。
【請求項４】
前記過電流検出部は、前記加入者線のサージ誘導がない正常動作状態時には、前記加入者線遮断部を介して前記加入者線の線路間に接続され、第１のループ電流を前記電話局へ帰還し、前記加入者線のサージ誘導に応動したときには前記加入者線遮断部により前記加入者線が遮断され、前記電話局へ帰還する前記第１のループ電流を遮断することを特徴とする請求項３記載のデジタル回線終端装置のハングアップ復旧方式。
【請求項５】
前記ハングアップ検出部は、前記加入者線間に接続され、前記過電流検出部が前記加入者線のサージ誘導に応動し、前記第１のループ電流が遮断されたとき上昇する前記加入者線の供給電圧が所定電圧に達したとき導通し第２のループ電流を前記電話局へ帰還すると共に前記導通を所定期間保持する導通保持手段と、前記導通期間中のみ遮断制御信号を送出する制御信号生成手段とを有し、前記遮断制御信号により前記加入者線遮断部を制御し前記加入者線と前記ＤＳＵ部および前記電源部との接続を遮断することを特徴とする請求項３記載のデジタル回線終端装置のハングアップ復旧方式。
【請求項６】
前記ハングアップ検出部は、カソードが加入者線の一方の線路Ｌ２と接続し、アノードが電流制限抵抗器の一端と接続する定電圧ダイオードと、発光部のアノードが前記電流制限抵抗器の他端と接続し、カソードが前記加入者線の他方の線路Ｌ１と接続し、受光部のコレクタが前記電源部が出力する電源電圧と接続し、エミッタが制御リレーのコイルを通して接地するフォトカプラと、一端が前記フォトカプラの受光部のコレクタと接続し他端が接地するコンデンサとから構成され、前記制御リレーの接点情報である遮断制御信号により前記加入者線遮断部を制御することを特徴とする請求項４記載のデジタル回線終端装置のハングアップ復旧方式。
【請求項７】
前記ハングアップ検出部は、カソードが加入者線の一方の線路Ｌ２と接続し、アノードが電流制限抵抗器の一端と接続する定電圧ダイオードと、アノードが前記電流制限抵抗器の他端と接続するＬＥＤと、発光部のアノードが前記ＬＥＤのカソードと接続し、カソードが前記加入者線の他方の線路Ｌ１と接続し、受光部のコレクタが前記電源部が出力する電源電圧と接続し、エミッタが制御リレーのコイルを通して接地するフォトカプラと、一端が前記フォトカプラの受光部のコレクタと接続し他端が接地するコンデンサとから構成され、前記制御リレーの接点情報である遮断制御信号により前記加入者線遮断部を制御することを特徴とする請求項４記載のデジタル回線終端装置のハングアップ復旧方式。
【請求項８】
前記加入者線遮断部は、コモン接点と前記加入者線の一方の線路Ｌ２と接続し、ブレイク接点と前記ＤＳＵ部および前記電源部の過電流検出手段と接続し、前記ハングアップ検出部から前記遮断制御信号を受けたとき動作して、前記加入者線の一方の線路Ｌ２と前記ＤＳＵ部および前記電源部の過電流検出手段との接続を遮断することを特徴とする請求項３、４、５のいずれかに記載のデジタル回線終端装置のハングアップ復旧方式。
【発明の詳細な説明】
【０００１】
【発明の属する技術分野】
本発明は、デジタル回線の加入者線に接続されるデジタル加入者系のデジタル回線終端装置に関し、特に加入者線のサージ誘導により生起するハングアップの自動復旧方式に関する。
【０００２】
【従来の技術】
従来、デジタル回線を介して局からの直流電源の供給を受け動作するデジタル回線終端装置においては、サ−ジが加入者線等に誘導され、デジタル回線終端装置の過電流保護機能が動作しハングアップした場合、デジタル回線とデジタル回線終端装置を手作業による切り離す必要であった。
【０００３】
【発明が解決しようとする課題】
デジタル回線を介して局からの直流電源の供給を受け動作するデジタル回線終端装置においては、サ−ジが加入者線等に誘導され、デジタル回線終端装置の過電流保護機能が動作しハングアップした場合、デジタル回線とデジタル回線終端装置を手作業による切り離す作業が必要であり、また、ハングアップ発生が保守、運用者には判断できないという問題点があった。
【０００４】
本発明の目的は、既存のデジタル回線終端装置にハングアップ復旧手段を設けることにより、ハングアップ発生が継続することによる通信断の問題を迅速に解消し、且つ保守運用を容易にするデジタル回線終端装置のハングアップ復旧方式を提供することにある。
【０００５】
【課題を解決するための手段】
本発明のデジタル回線終端装置のハングアップ復旧方式は、デジタル回線の加入者線に接続され、電話局から加入者線を介して供給される直流電圧を受けて動作するデジタル加入者系の回線終端装置において、前記加入者線のサージ誘導により生起する前記回線終端装置のハングアップを自動復旧するハングアップ復旧手段を有することを特徴とする。
【０００６】
また、デジタル回線の加入者線に接続され、電話局から加入者線を介して供給される直流電圧を受けて動作するデジタル加入者系の回線終端装置において、前記加入者線のサージ誘導に応動し前記加入者線に対する閉ループを開放する過電流検出手段と、前記過電流検出手段が前記加入者線に対する閉ループを開放したとき前記加入者線の給電電圧の変化を検出する給電電圧検出手段と、前記給電電圧検出手段の指示を受け前記回線終端装置から前記加入者線を切り離す加入者線遮断手段とを有することを特徴とする。
【０００７】
また、デジタル回線の加入者線に接続され、電話局から加入者線を介して供給される直流電圧を受けて動作するデジタル加入者系の回線終端装置において、前記回線終端装置は、ＤＳＵ部と、前記加入者線間に接続され、前記加入者線のサージ誘導に応動し前記加入者線に対する閉ループを開放する過電流検出手段を備え、且つ前記回線終端装置の動作電圧を出力する電源部と、前記加入者線間に接続され、前記加入者線に対する閉ループが開放されたときに前記加入者線の給電電圧が所定電圧まで上昇したとき動作するハングアップ検出部と、前記ハングアップ検出部が前記ハングアップを検出したとき前記ＤＳＵ部および前記電源部に接続されている前記加入者線を切り離す加入者線遮断部とを有することを特徴とする。
【０００８】
また、前記過電流検出部は、前記加入者線のサージ誘導がない正常動作状態時には、前記加入者線遮断部を介して前記加入者線の線路間に接続され、第１のループ電流を前記電話局へ帰還し、前記加入者線のサージ誘導に応動したときには前記加入者線遮断部により前記加入者線が遮断され、前記電話局へ帰還する前記第１のループ電流を遮断することを特徴とする。
【０００９】
また、前記ハングアップ検出部は、前記加入者線間に接続され、前記過電流検出部が前記加入者線のサージ誘導に応動し、前記第１のループ電流が遮断されたとき上昇する前記加入者線の供給電圧が所定電圧に達したとき導通し第２のループ電流を前記電話局へ帰還すると共に前記導通を所定期間保持する導通保持手段と、前記導通期間中のみ遮断制御信号を送出する制御信号生成手段とを有し、前記遮断制御信号により前記加入者線遮断部を制御し前記加入者線と前記ＤＳＵ部および前記電源部との接続を遮断することを特徴とする。
【００１０】
また、前記ハングアップ検出部は、カソードが加入者線の一方の線路Ｌ２と接続し、アノードが電流制限抵抗器の一端と接続する定電圧ダイオードと、発光部のアノードが前記電流制限抵抗器の他端と接続し、カソードが前記加入者線の他方の線路Ｌ１と接続し、受光部のコレクタが前記電源部が出力する電源電圧と接続し、エミッタが制御リレーのコイルを通して接地するフォトカプラと、一端が前記フォトカプラの受光部のコレクタと接続し他端が接地するコンデンサとから構成され、前記制御リレーの接点情報である遮断制御信号により前記加入者線遮断部を制御することを特徴とする。
【００１１】
また、前記ハングアップ検出部は、カソードが加入者線の一方の線路Ｌ２と接続し、アノードが電流制限抵抗器の一端と接続する定電圧ダイオードと、アノードが前記電流制限抵抗器の他端と接続するＬＥＤと、発光部のアノードが前記ＬＥＤのカソードと接続し、カソードが前記加入者線の他方の線路Ｌ１と接続し、受光部のコレクタが前記電源部が出力する電源電圧と接続し、エミッタが制御リレーのコイルを通して接地するフォトカプラと、一端が前記フォトカプラの受光部のコレクタと接続し他端が接地するコンデンサとから構成され、前記制御リレーの接点情報である遮断制御信号により前記加入者線遮断部を制御することを特徴とする。
【００１２】
また、前記加入者線遮断部は、コモン接点と前記加入者線の一方の線路Ｌ２と接続し、ブレイク接点と前記ＤＳＵ部および前記電源部の過電流検出手段と接続し、前記ハングアップ検出部から前記遮断制御信号を受けたとき動作して、前記加入者線の一方の線路Ｌ２と前記ＤＳＵ部および前記電源部の過電流検出手段との接続を遮断することを特徴とする。
【００１３】
【発明の実施の形態】
本発明の実施の形態について図面を参照して説明する。
【００１４】
図１は本発明のデジタル回線終端装置の主要構成を示すブロック図、図２は第１の実施の形態のハングアップ検出回路の主要構成を示すブロック図、図３は第２の実施の形態のハングアップ検出回路４の主要構成を示すブロック図である。
【００１５】
本発明のデジタル回線終端装置１は、図１に示すようにＤＳＵ部２と、ＰＵ部３（電源部）と、ハングアップ検出回路４と、回線遮断リレー５とから構成され、デジタル回線の線路６（Ｌ２）、線路７（Ｌ１）に接続されている。
【００１６】
ＰＵ部３はＤＳＵ部２およびハングアップ検出回路４へ動作電圧を供給する電源部であり、デジタル回線の線路（Ｌ１、Ｌ２）に生起するサージ誘導からＤＳＵ２を保護するための過電流保護回路（３−１）を備えている。
【００１７】
デジタル回線の一方の線路６（Ｌ２）は、回線遮断リレー５を介してＤＳＵ部２およびＰＵ部３に接続され、デジタル回線の他方の線路７（Ｌ１）は、ＤＳＵ部２およびＰＵ部３が接続されている。
【００１８】
また、デジタル回線の線路６（Ｌ２）、線路７（Ｌ１）間にはハングアップ検出回路４が接続されている。
【００１９】
デジタル回線の線路６（Ｌ２）、線路７（Ｌ１）の線路間には通常直流２８．５Ｖの電圧が印加されているが、サ−ジに応動してＰＵ部３内の過電流保護回路３−１が動作した場合、ＤＳＵ部２はデジタル回線の線路（Ｌ１、Ｌ２）から切り離されサ−ジから保護されるが、給電電圧は直流３９ｍＡの定電流に制定された関係から、直流６３Ｖまで電圧が上昇し持続する。
【００２０】
この時、ＤＳＵ部２は、過電流保護回路３−１が動作しているため、ＰＵ部３による給電を受けられずハングアップ状態となり通信断となる。
【００２１】
このハングアップ状態を解除（復旧）するためは、デジタル回線の線路６（Ｌ２）および線路７（Ｌ１）の切り離しを必要とするが、通常手作業により行われていたが、ハングアップ検出回路４を設けることにより、ＤＳＵ部２とデジタル回線の線路（Ｌ１、Ｌ２）との切り離しを自動的に行い、ハングアップの自動復旧を可能とする。
【００２２】
デジタル回線終端装置１は、Ｇ９６１インタフェ−スを終端し、Ｉ４３０インタフェ−スに変換するＤＳＵ部２と、電話局からの３９ｍＡの直流給電を受け、デジタル回線終端装置１の電源を供給するＰＵ部３を有している。
【００２３】
またＰＵ部３は、デジタル回線の線路６（Ｌ２）、線路７（Ｌ１）からサ−ジが誘導された場合の保護用の過電流保護回路３−１を備え、サ−ジが誘導され過電流保護回路３−１が動作し、ハングアップ状態に陥った場合にはハングアップ検出回路４がハングアップ状態を検出し、回線遮断リレー５の制御を行いデジタル回線の線路（Ｌ１、Ｌ２）との切り離しを行う。
【００２４】
次に第１の実施の形態のハングアップ検出回路４の構成について説明する。
【００２５】
図２は第１の実施の形態のハングアップ検出回路４の構成例を示すブロック図である。
【００２６】
ハングアップ検出回路４は、定電圧ダイオード８と、フォトカプラ９、電流制限用抵抗１０、コンデンサ１１と、制御リレー１２から構成される。
【００２７】
定電圧ダイオード８は、ハングアップ状態になった時のデジタル回線の線路（Ｌ１、Ｌ２）間の回線電圧６３Ｖ付近にてブレークオーバーとなる。このときフォトカプラ９は電流制限抵抗１０により制限された電流が流れＯＮ状態となる。
【００２８】
フォトカプラ９がＯＮ状態（導通状態）となるため、コンデンサ１１にチャ−ジされた電圧がフォトカプラ９の受光部を通して制御リレー１２に供給され遮断制御信号が出力される。
【００２９】
次に図１および図２を参照して動作について説明する。
【００３０】
デジタル回線終端装置１のハングアップ検出回路４は、ＤＳＵ部２がハングアップ状態でないときは、デジタル回線の線路Ｌｌ、Ｌ２間の回線電圧は定常電圧（２８．５Ｖ）であるため、フォトカプラ９は非導通状態であり、制御リレー１２からは遮断制御信号が出力されず、回線遮断リレー５はＯＦＦ状態にある。
【００３１】
したがって、ＰＵ部３は電話局からの直流２８．５Ｖ、３９ｍＡの直流給電を受けてＤＳＵ部２、およびハングアップ検出回路４のコンデンサ１１への電源供給を行っている。
【００３２】
この状態において、デジタル回線の線路６（Ｌ２）、線路７（Ｌ１）にサ−ジが誘導されると、ＰＵ部３の過電流保護回路３−１が動作する。
【００３３】
ＰＵ部３を通して流れていた電話局側へのル−プ電流Ａが遮断され、電話局側は直流３９ｍＡの定電流を供給しようとして、線路（Ｌ１、Ｌ２）間の電圧は６３Ｖまで上昇する。
【００３４】
デジタル回線の線路６（Ｌ２）、線路７（Ｌ１）間の電圧が６３Ｖ付近になった時、ハングアップ検出回路４の定電圧ダイオード８がブレークオーバーし、フォトカプラ９がＯＮ状態になる。
【００３５】
これによりコンデンサ１１のチャ−ジ電圧がフォトカプラ９の受光部を通して制御リレー１２に供給され、制御リレー１２が動作する。制御リレー１２が動作すると遮断制御信号が出力され、回線遮断リレー５が動作しＯＦＦ状態からＯＮ状態になる。
【００３６】
回線遮断リレー５がＯＮ状態になると、デジタル回線の線路６（Ｌ２）が遮断され、ＰＵ部３の過電流保護回路３−１はデジタル回線の線路６（Ｌ２）から切り離され、過電流保護回路３−１は閉鎖（機能停止状態）され、ＰＵ部３はＤＳＵ部２およびハングアップ検出回路４への給電を停止する。
【００３７】
ハングアップ検出回路４のコンデンサ１１は、ＰＵ部３からの給電が遮断されると、一定時間経過後にはチャ−ジ電圧がすべて放電され、制御リレー１２が動作を停止し遮断制御信号の出力が停止し、再び回線遮断リレー５はＯＦＦ状態になる。
【００３８】
この間デジタル回線の線路６（Ｌ２）、線路７（Ｌ１）に定電圧ダイオード８、フォトカプラ９、電流制限抵抗１０を介して流れるル−プ電流Ｂは３９ｍＡに満たないためにデジタル回線の線路６（Ｌ２）、線路７（Ｌ１）間には継続して直流６３Ｖが印加されている。
【００３９】
回線遮断リレー５が再びＯＦＦ状態になり、デジタル回線の線路６（Ｌ２）が回線遮断リレー５を介してＤＳＵ部２およびＰＵ部３に接続されると、ＰＵ部３の過電流保護回路３−１は閉鎖状態から復旧し、デジタル回線の線路６（Ｌ２）からデジタル回線の線路７（Ｌ１）へ過電流保護回路３−１を介して電話局側へのループが形成され、ル−プ電流Ａ（３９ｍＡ）が電話局へ流入（帰還）する。
【００４０】
電話局側は３９ｍＡのループ電流が流入することにより、デジタル回線の線路（Ｌ１、Ｌ２）間の電圧を６３Ｖから２８．５Ｖまで下げる。これによりハングアップ検出回路４のフォトカプラ９がＯＦＦ状態（非導通状態）となり、通常運用状態に復旧する。
【００４１】
次に第２の実施の形態のハングアップ検出回路４の構成について説明する。
【００４２】
図３は第２の実施の形態のハングアップ検出回路４の構成例を示すブロック図である。
【００４３】
ハングアップ検出回路４は、定電圧ダイオード８と、フォトカプラ９、電流制限用抵抗１０、コンデンサ１１と、制御リレー１２と、ＬＥＤ１３とから構成される。
【００４４】
定電圧ダイオード８は、ハングアップ状態になった時のデジタル回線の線路（Ｌ１、Ｌ２）間の回線電圧６３Ｖ付近にてブレークオーバーとなる。このときフォトカプラ９は電流制限抵抗１０により制限された電流が流れＯＮ状態となり、ＬＥＤ１３が点灯する。
【００４５】
フォトカプラ９がＯＮ状態（導通状態）となるため、コンデンサ１１にチャ−ジされた電圧がフォトカプラ９の受光部を通して制御リレー１２に供給され遮断制御信号が出力される。
【００４６】
次に図１および図３を参照して動作について説明する。
【００４７】
デジタル回線終端装置１のハングアップ検出回路４は、ＤＳＵ部２がハングアップ状態でないときは、デジタル回線の線路Ｌｌ、Ｌ２間のデジタル回線の線路（Ｌ１、Ｌ２）間の回線電圧は定常電圧（２８．５Ｖ）であるため、フォトカプラ９は非導通状態であり、ＬＥＤ１３は消灯し、制御リレー１２からは遮断制御信号が出力されず、回線遮断リレー５はＯＦＦ状態にある。
【００４８】
したがって、ＰＵ部３は電話局からの直流２８．５Ｖ、３９ｍＡの直流給電を受けてＤＳＵ部２、およびハングアップ検出回路４のコンデンサ１１への電源供給を行っている。
【００４９】
この状態において、デジタル回線の線路６（Ｌ２）、線路７（Ｌ１）にサ−ジが誘導されると、ＰＵ部３の過電流保護回路３−１が動作する。
【００５０】
ＰＵ部３を通して流れていた電話局側へのル−プ電流Ａが遮断され、電話局側は直流３９ｍＡの定電流を供給しようとして、線路（Ｌ１、Ｌ２）間の電圧は６３Ｖまで上昇する。
【００５１】
デジタル回線の線路６（Ｌ２）、線路７（Ｌ１）間の電圧が６３Ｖ付近になった時、ハングアップ検出回路４の定電圧ダイオード８がブレークオーバーし、フォトカプラ９がＯＮ状態になり、ＬＥＤ１３が点灯する。
【００５２】
これによりコンデンサ１１のチャ−ジ電圧がフォトカプラ９の受光部を通して制御リレー１２に供給され、制御リレー１２が動作する。制御リレー１２が動作すると遮断制御信号が出力され、回線遮断リレー５が動作しＯＦＦ状態からＯＮ状態になる。
【００５３】
回線遮断リレー５がＯＮ状態になると、デジタル回線の線路６（Ｌ２）が遮断され、ＰＵ部３の過電流保護回路３−１はデジタル回線の線路６（Ｌ２）から切り離され、過電流保護回路３−１は閉鎖（機能停止状態）され、ＰＵ部３はＤＳＵ部２およびハングアップ検出回路４への給電を停止する。
【００５４】
ハングアップ検出回路４のコンデンサ１１は、ＰＵ部３からの給電が遮断されると、一定時間経過後にはチャ−ジ電圧がすべて放電され、制御リレー１２が動作停止状態となり遮断制御信号の出力が停止し、再び回線遮断リレー５はＯＦＦ状態になる。
【００５５】
この間デジタル回線の線路６（Ｌ２）、線路７（Ｌ１）に定電圧ダイオード８、フォトカプラ９、電流制限抵抗１０、ＬＥＤ１３を介して流れるル−プ電流Ｂは３９ｍＡに満たないためにデジタル回線の線路６（Ｌ２）、線路７（Ｌ１）間には継続して直流６３Ｖが印加されている。
【００５６】
回線遮断リレー５が再びＯＦＦ状態になり、デジタル回線の線路６（Ｌ２）が回線遮断リレー５を介してＤＳＵ部２およびＰＵ部３に接続されると、ＰＵ部３の過電流保護回路３−１は閉鎖状態から復旧し、デジタル回線の線路６（Ｌ２）からデジタル回線の線路７（Ｌ１）へ過電流保護回路３−１を介して電話局側へのループが形成され、ル−プ電流Ａ（３９ｍＡ）が電話局へ流入（帰還）する。
【００５７】
電話局側は３９ｍＡのループ電流が流入することにより、デジタル回線の線路（Ｌ１、Ｌ２）間の電圧を６３Ｖから２８．５Ｖまで下げる。これによりハングアップ検出回路４のフォトカプラ９がＯＦＦ状態（非導通状態）となると共にＬＥＤ１３は消灯り、通常運用状態に復旧する。
【００５８】
このように、ハングアップ発生時にデジタル回線の線路（Ｌ１、Ｌ２）間に流れるループ電流Ｂによって、ＬＥＤ１３が点灯するので、ハングアップが一定時間以上継続している場合には、ＬＥＤ１３を点灯させることにより、保守者、運用者にハングアップ発生を通知することができる。
【００５９】
【発明の効果】
以上のように本発明によれば、加入者回線のサージ誘導に応動して加入者線のループを開放し電話局へのループ電流の帰還を遮断することにより、電話局から加入者回線に供給される給電電圧の上昇を監視し所定電圧に達したとき、加入者回線とＤＳＵ部および電源部との接続を遮断し、所定時間経過後、加入者回線とＤＳＵ部および電源部との接続を復旧するよう構成することにより、デジタル回線終端装置をハングアップ状態から正常状態に自動的に復旧できるため、安定した回線サ−ビスを継続することができる。
【００６０】
また、ハングアップを復旧させるための加入者回線の人の手による切り離し作業が不要となり保守運用を容易にできる。また、ハングアップが一定時間以上継続している場合に、ハングアップ発生をＬＥＤの点灯表示により、保守、運用者に通知することができる。
【図面の簡単な説明】
【図１】本発明のデジタル回線終端装置の主要構成を示すブロック図である。
【図２】本発明の第１の実施の形態のハングアップ検出回路の主要構成を示すブロック図である。
【図３】本発明の第２の実施の形態のハングアップ検出回路４の主要構成を示すブロック図である。
【符号の説明】
１　　デジタル回線終端装置
２　　ＤＳＵ部
３　　ＰＵ部
３−１　　過電流保護回路
４　　ハングアップ検出回路
５　　回線遮断リレー
６　　デジタル回線の線路（Ｌ２）
７　　デジタル回線の線路（Ｌ１）
８　　定電圧ダイオード
９　　フォトカプラ
１０　　電流制限抵抗
１１　　コンデンサ
１２　　制御リレー
１３　　ＬＥＤ
【図１】
2004088486.tif 000003
【図２】
2004088486.tif 000004
【図３】
2004088486.tif 000005